(57)【要約】【課題】本発明は、複数の端末機に同時に２以上のフェムトサービスを提供するフェムトセルのサービス方法およびそのための送受信機を提供する。【解決手段】フェムト基地局が２以上のフェムトセル加入方式を支援する場合、互いに異なるフェムトセルに加入した端末機に互いに異なる品質のデータサービスを同時に提供する。フェムト基地局が支援するフェムトセル加入方式は、ＰＨＹレベルの識別子やＭＡＣレベルの識別子を通じて端末機に提供される（ａｄｖｅｒｔｉｓｅ）。ＣＳＧ−Ｃｌｏｓｅｄフェムトセルは制限された加入者に高品質のデータサービスを提供し、ＣＳＧ−Ｏｐｅｎフェムトセルは制限された加入者に相対的に低い品質のデータサービスを提供し、ＯＳＧフェムトセルは加入有無に関係なしに全ての端末機に最も低い品質のデータサービスを提供する。
2012519409.tif 000002
【特許請求の範囲】
【請求項１】
フェムト基地局がデータサービスを提供する方法において、
前記フェムト基地局がサービスセルの端末機に２以上のフェムトセル加入方式に関する情報を提供する段階；
前記フェムトセル加入方式のうちの第１加入方式を指定した第１端末機と第２加入方式を指定した第２端末機から登録要請を受ける段階；および
前記第１端末機に前記第１加入方式に相応する品質のデータサービスを提供し、前記第２端末機に前記第２加入方式に相応する品質のデータサービスを提供する段階
を含む、フェムトセルのサービス提供方法。
【請求項２】
前記フェムト基地局は
閉鎖加入者グループ−閉鎖フェムト基地局（Ｃｌｏｓｅｄ  Ｓｕｂｓｃｒｉｂｅｒ  Ｇｒｏｕｐ−Ｃｌｏｓｅｄ  Ｆｅｍｔｏ  ＡＢＳ、ＣＳＧ−Ｃｌｏｓｅｄフェムト基地局）、閉鎖加入者グループ−公開フェムト基地局（Ｃｌｏｓｅｄ  Ｓｕｂｓｃｒｉｂｅｒ  Ｇｒｏｕｐ−Ｏｐｅｎ  Ｆｅｍｔｏ  ＡＢＳ、ＣＳＧ−Ｏｐｅｎフェムト基地局）および開放加入者グループフェムト基地局（Ｏｐｅｎ  Ｓｕｂｓｃｒｉｂｅｒ  Ｇｒｏｕｐ  Ｆｅｍｔｏ  ＡＢＳ、ＯＳＧフェムト基地局）のうちの少なくとも二つの方式で動作する、請求項１に記載のフェムトセルのサービス提供方法。
【請求項３】
前記フェムトセル加入方式情報は、ＰＨＹレベルの識別子を通じて提供される、請求項２に記載のフェムトセルのサービス提供方法。
【請求項４】
前記ＰＨＹレベルの識別子は、ＳＡ−プリアンブルシークエンス（ｓｅｃｏｎｄａｒｙ  ａｄｖａｎｃｅｄ  ｐｒｅａｍｂｌｅ  ｓｅｑｕｅｎｃｅ）に含まれる、請求項３に記載のフェムトセルのサービス提供方法。
【請求項５】
前記ＰＨＹレベルの識別子は、前記ＳＡ−プリアンブルシークエンスのＳ−ＳＦＨ（Ｓｅｃｏｎｄａｒｙ−Ｓｕｐｅｒｆｒａｍｅ  Ｈｅａｄｅｒ）およびＡＡＩ＿ＳＣＤ（Ａｄｖａｎｃｅｄ  Ａｉｒ  Ｉｎｔｅｒｆａｃｅ＿Ｓｙｓｔｅｍ  Ｃｏｎｆｉｇｕｒａｔｉｏｎ  Ｄｅｓｃｒｉｐｔｏｒ）メッセージに含まれる、請求項４に記載のフェムトセルのサービス提供方法。
【請求項６】
前記フェムトセル加入方式情報は、ＭＡＣレベルの識別子を通じて提供される、請求項２に記載のフェムトセルのサービス提供方法。
【請求項７】
前記ＭＡＣレベルの識別子は、
前記フェムトセル加入方式に相応する識別子を羅列したＣＳＧホワイトリストに含まれる、請求項６に記載のフェムトセルのサービス提供方法。
【請求項８】
前記ＣＳＧホワイトリストは、
サービスセルの端末機全体に放送（ｂｒｏａｄｃａｓｔ）される、請求項７に記載のフェムトセルのサービス提供方法。
【請求項９】
前記ＣＳＧホワイトリストは、
前記ＣＳＧホワイトリストを要請した端末機に伝送（ｕｎｉｃａｓｔ）される、請求項７に記載のフェムトセルのサービス提供方法。
【請求項１０】
自分が加入されたフェムトセル加入方式の識別子を貯蔵するメモリ；および
フェムト基地局から２以上のフェムトセル加入方式に関する情報が受信される場合、前記フェムトセル加入方式情報に前記メモリに貯蔵された識別子が含まれるのかを確認する比較モジュールと、前記メモリに貯蔵された識別子に相応するフェムトセル加入方式で前記フェムト基地局に登録を要請する登録モジュールとを含む制御器
を含む、フェムトセルの受信機。
【請求項１１】
前記フェムトセル加入方式は、
閉鎖加入者グループ−閉鎖フェムト（Ｃｌｏｓｅｄ  Ｓｕｂｓｃｒｉｂｅｒ  Ｇｒｏｕｐ−Ｃｌｏｓｅｄ  Ｆｅｍｔｏ、ＣＳＧ−Ｃｌｏｓｅｄフェムト）、閉鎖加入者グループ−公開フェムト（Ｃｌｏｓｅｄ  Ｓｕｂｓｃｒｉｂｅｒ  Ｇｒｏｕｐ−Ｏｐｅｎ  Ｆｅｍｔｏ、ＣＳＧ−Ｏｐｅｎフェムト）および開放加入者グループフェムト（Ｏｐｅｎ  Ｓｕｂｓｃｒｉｂｅｒ  Ｇｒｏｕｐ  Ｆｅｍｔｏ、ＯＳＧフェムト）のうちの少なくとも一つを含む、請求項１０に記載のフェムトセルの受信機。
【請求項１２】
前記フェムトセル加入方式情報は、ＰＨＹレベルの識別子を通じて提供される、請求項１１に記載のフェムトセルの受信機。
【請求項１３】
前記ＰＨＹレベルの識別子は、ＳＡ−プリアンブルシークエンス（ｓｅｃｏｎｄａｒｙ  ａｄｖａｎｃｅｄ  ｐｒｅｍａｂｌｅ  ｓｅｑｕｅｎｃｅ）に含まれる、請求項１２に記載のフェムトセルの受信機。
【請求項１４】
前記ＰＨＹレベルの識別子は、前記ＳＡ−プリアンブルシークエンスのＳ−ＳＦＨ（Ｓｅｃｏｎｄａｒｙ−Ｓｕｐｅｒｆｒａｍｅ  Ｈｅａｄｅｒ）およびＡＡＩ＿ＳＣＤ（Ａｄｖａｎｃｅｄ  Ａｉｒ  Ｉｎｔｅｒｆａｃｅ＿Ｓｙｓｔｅｍ  Ｃｏｎｆｉｇｕｒａｔｉｏｎ  Ｄｅｓｃｒｉｐｔｏｒ）メッセージに含まれる、請求項１３に記載のフェムトセルの受信機。
【請求項１５】
前記フェムトセル加入方式情報は、ＭＡＣレベルの識別子を通じて提供される、請求項１１に記載のフェムトセルの受信機。
【請求項１６】
前記ＭＡＣレベルの識別子は、
前記フェムトセル加入方式に相応する識別子を羅列したＣＳＧホワイトリストに含まれる、請求項１５に記載のフェムトセルの受信機。
【請求項１７】
前記ＣＳＧホワイトリストは、
サービスセルの端末機全体に放送（ｂｒｏａｄｃａｓｔ）される、請求項１６に記載のフェムトセルの受信機。
【請求項１８】
前記ＣＳＧホワイトリストは、
前記ＣＳＧホワイトリストを要請した端末機に伝送（ｕｎｉｃａｓｔ）される、請求項１７に記載のフェムトセルの受信機。
【発明の詳細な説明】
【技術分野】
【０００１】
本発明の実施例は複数の端末機に同時に２以上のフェムトサービスを提供するフェムトセルのサービス提供方法およびそのための送受信機に関する。
【背景技術】
【０００２】
フェムトセル（Ｆｅｍｔｏｃｅｌｌ）はセル半径が３０メートル内外の地域に無線サービスを提供する。フェムト基地局（Ｆｅｍｔｏ  Ｂａｓｅ  Ｓｔａｔｉｏｎ）はマクロセル内でフェムトセルを支援するために設置される超小型基地局であって、家庭や事務室などの密集した地域でマクロセル基地局よりも優れた信号品質を提供する。
【０００３】
フェムト基地局は、一般人（ｐｕｂｌｉｃ  ｕｓｅｒｓ）のような開放加入者グループ（ｏｐｅｎ  ｓｕｂｓｃｒｉｂｅｒ  ｇｒｏｕｐ、ＯＳＧ）にサービスを提供したり（ｓｅｒｖｅｓ）、フェムトセル基地局の所有者や網サービス提供者に認証された加入者のような閉鎖加入者グループ（ｃｌｏｓｅｄ  ｓｕｂｓｃｒｉｂｅｒ  ｇｒｏｕｐ、ＣＳＧ）にサービスを提供する。
【０００４】
フェムト基地局は、ＯＳＧフェムト基地局やＣＳＧフェムト基地局のうちのいずれか一つで作動することを決め、自分の作動方式をサービスセルの端末機に放送する。端末機は、フェムト基地局の作動方式が自分が加入したフェムトセル方式であると判断される場合、前記フェムト基地局に登録して当該フェムトセル方式のデータサービスを受ける。
【０００５】
ただし、現在のフェムトセルは互いに異なる種類のフェムト加入方式を同時に支援しないため、端末機は自分が位置したフェムトセルの基地局が自分が加入したフェムトセル動作方式を支援しなければフェムトセルサービスの提供の受けることができないという制約がある。
【発明の概要】
【発明が解決しようとする課題】
【０００６】
本発明の実施例が解決しようとする課題は、２以上のフェムト加入方式を支援するフェムト基地局および端末機と両者間の動作手続を提供することにある。
【課題を解決するための手段】
【０００７】
前記課題を解決するために、本発明は、フェムト基地局のサービス提供方法を提案する。一例のサービス提供方法は、前記フェムト基地局がサービスセルの端末機に２以上のフェムトセル加入方式に関する情報を提供する段階、前記フェムトセル加入方式のうちの第１加入方式を指定した第１端末機と第２加入方式を指定した第２端末機から登録要請を受ける段階、および前記第１端末機に前記第１加入方式に相応する品質のデータサービスを提供し、前記第２端末機に前記第２加入方式に相応する品質のデータサービスを提供する段階を含む。
【０００８】
また、前記課題を解決するために、本発明は、フェムトセルの受信機を提案する。一例の受信機は、自分が加入されたフェムトセル加入方式の識別子を貯蔵するメモリ、およびフェムト基地局から２以上のフェムトセル加入方式に関する情報が受信される場合、前記フェムトセル加入方式情報に前記メモリに貯蔵された識別子が含まれるのかを確認する比較モジュールと、前記メモリに貯蔵された識別子に相応するフェムトセル加入方式で前記フェムト基地局に登録を要請する登録モジュールとを含む制御器を含む。
【０００９】
本発明の実施例において、フェムト基地局は、ＣＳＧ−Ｃｌｏｓｅｄフェムト方式、ＣＳＧ−Ｏｐｅｎフェムト方式、ＯＳＧフェムト方式のうちの少なくとも２以上の加入方式を支援することができる。
【００１０】
前記フェムトセル加入方式情報は、ＰＨＹレベルおよび／またはＭＡＣレベルを通じて受信機が識別することができ、特にＭＡＣレベルのフェムトセル加入方式情報は、フェムトセル内の受信機に放送（ｂｒｏａｄｃａｓｔ）されたり特定の受信機の要請により伝送（ｕｎｉｃａｓｔ）され得る。
【発明の効果】
【００１１】
本発明の実施例によれば、一つのフェムトセルで複数のフェムトサービスを提供し、各フェムトサービスに応じて伝送品質を異にして差別化されたサービスを提供することができる。
【図面の簡単な説明】
【００１２】
【図１】本発明の実施例が適用される通信ネットワークの構成を示す図面である。
【図２】フェムトセルネットワークへの進入のためのマクロ基地局、フェムト基地局および端末機間のデータのフローチャートである。
【図３】Ａ−プリアンブルを含むスーパーフレームのデータ構造を示す図面である。
【図４】本発明の一実施例に係るフェムト基地局の構成を示す図面である。
【図５】本発明の一実施例に係る端末機の構成を示す図面である。
【発明を実施するための形態】
【００１３】
一般に通信システムは送信機（ｔｒａｎｓｍｉｔｔｅｒ）と受信機（ｒｅｃｅｉｖｅｒ）を含む。送信機と受信機は送信機能と受信機能を同時に遂行する送受信機（ｔｒａｎｓｃｅｉｖｅｒ）である。ただし、説明の便宜のために本発明ではフェムトデータサービスを提供する一方を送信機と定義し、送信機のサービス圏域に進入してフェムトデータサービスの提供を受ける他方を受信機と定義する。
【００１４】
送信機は、基地局（Ｂａｓｅ  Ｓｔａｔｉｏｎ、ＢＳ）または向上した基地局（Ａｄｖａｎｃｅｄ  Ｂａｓｅ  Ｓｔａｔｉｏｎ、ＡＢＳ）と呼ばれ得、受信機は、端末機（Ｍｏｂｉｌｅ  Ｓｔａｔｉｏｎ、ＭＳ）または向上した端末機（Ａｄｖａｎｃｅｄ  Ｍｏｂｉｌｅ  Ｓｔａｔｉｏｎ、ＡＭＳ）と呼ばれ得る。
【００１５】
明細書全体において「フェムトサービス」とは、フェムトセルへの加入方式（ｓｕｂｓｃｒｉｐｔｉｏｎ  ｔｙｐｅ）に応じて差別的に提供されるデータサービスを示す。
【００１６】
以下、明細書に添付した図面を参照して好適な実施例を詳しく説明する。
【００１７】
＜通信ネットワークの構成（ｎｅｔｗｏｒｋ  ｔｏｐｏｌｏｇｙ）＞
図１は、本発明の実施例が適用される通信ネットワークの構成を示す図面である。
【００１８】
図１の通信ネットワークは、マクロセル（ｍａｃｒｏ  ｃｅｌｌ）サービスとフェムトセル（ｆｅｍｔｏ  ｃｅｌｌ）サービスを共に提供する。図１において、マクロセルのための送信機をマクロ基地局１００と呼び、フェムトセルのための送信機をフェムト基地局２００と呼ぶ。
【００１９】
フェムト基地局２００は、制御メッセージを交換するためにマクロ基地局１００と重なる無線インターフェース（ａｉｒ  ｉｎｔｅｒｆａｃｅ）を使用する。フェムト基地局２００は、自分をマクロ基地局１００とネットワークに共に登録することによってネットワークから無線リンク構成情報を直接獲得する。
【００２０】
端末機３００は、マクロセルサービスおよびフェムトセルサービスの加入有無と、フェムトセルサービスの支援有無に応じてマクロ基地局のネットワークまたはフェムト基地局のネットワークを区分して進入する。
【００２１】
本発明のフェムト基地局２００は、以下の加入方式のうちの少なくとも一つを支援し、同時に２以上を支援することができる。
ａ）閉鎖加入者グループ−閉鎖フェムト基地局（Ｃｌｏｓｅｄ  Ｓｕｂｓｃｒｉｂｅｒ  Ｇｒｏｕｐ−Ｃｌｏｓｅｄ  Ｆｅｍｔｏ  ＡＢＳ、ＣＳＧ−Ｃｌｏｓｅｄフェムト基地局）：制限された加入者グループを対象として高速のデータサービスを提供する。
ｂ）閉鎖加入者グループ−公開フェムト基地局（Ｃｌｏｓｅｄ  Ｓｕｂｓｃｒｉｂｅｒ  Ｇｒｏｕｐ−Ｏｐｅｎ  Ｆｅｍｔｏ  ＡＢＳ、ＣＳＧ−Ｏｐｅｎフェムト基地局）：制限された加入者グループを対象として低速のデータサービスを提供する。
ｃ）開放加入者グループフェムト基地局（Ｏｐｅｎ  Ｓｕｂｓｃｒｉｂｅｒ  Ｇｒｏｕｐ  Ｆｅｍｔｏ  ＡＢＳ、ＯＳＧフェムト基地局）：サービス加入有無に関係なしにデータサービスを提供し、ただし、最も低い品質のデータサービスを提供する。
【００２２】
フェムト基地局２００は、自分が支援するフェムトサービス加入方式に関する情報をサービスセル内の端末機３００に放送（ｂｒｏａｄｃａｓｔ）したり、端末機３００の要請により伝送（ｕｎｉｃａｓｔ）する。
【００２３】
フェムトサービスを支援する端末機３００は、フェムト基地局２００からフェムトセル情報リスト（例えば、ＣＳＧ  ｗｈｉｔｅ  ｌｉｓｔ）を受信し、自分が加入したフェムトサービスであると判断される場合、当該フェムト基地局２００のネットワークへの進入を試みる。
【００２４】
＜ネットワーク進入（ｎｅｔｗｏｒｋ  ｅｎｔｒｙ）＞
図２は、フェムトセルネットワークへの進入のためのマクロ基地局、フェムト基地局および端末機間のデータのフローチャートである。
【００２５】
端末機がパワーオンされる場合、先ず初期化状態に進入する。初期化状態では無線インターフェースパラメーターの構成手続（ｃｏｎｆｉｇｕｒａｔｉｏｎ  ｏｆ  ｒａｄｉｏ  ｉｎｔｅｒｆａｃｅ  ｐａｒａｍｅｔｅｒｓ）と時間／周波数同期化手続が遂行される。
【００２６】
初期化状態で端末機はプリアンブルシークエンスを通じてマクロ基地局から多様な制御情報の提供を受ける。特に下りリンクの制御のためにＰＡ−プリアンブルシークエンス（ｐｒｉｍａｒｙ  ａｄｖａｎｃｅｄ  ｐｒｅａｍｂｌｅ  ｓｅｑｕｅｎｃｅ）とＳＡ−プリアンブルシークエンス（ｓｅｃｏｎｄａｒｙ  ａｄｖａｎｃｅｄ  ｐｒｅａｍｂｌｅ  ｓｅｑｕｅｎｃｅ）が使用される。
【００２７】
図３は、Ａ−プリアンブルを含むスーパーフレームのデータ構造を示す図面である。図３において、フレームの第１のシンボルがＡ−プリアンブルシンボルとして記述される（ｓｐｅｃｉｆｉｅｄ）。そして、ＰＡ−プリアンブルはスーパーフレームで第２のフレームの第１のシンボルに位置し、ＳＡ−プリアンブルは残りの３フレームの第１のシンボルに位置する。
【００２８】
ＳＡ−プリアンブルシークエンスは、複数で区画され（ｐａｒｔｉｔｉｏｎｅｄ）、前記区画はマクロセル基地局（Ｍａｃｒｏｃｅｌｌ  ＡＢＳ）、マクロホットジョン基地局（Ｍａｃｒｏ  Ｈｏｔｚｏｎｅ  ＡＢＳ）、フェムト基地局（Ｆｅｍｔｏ  ＡＢＳ）のような基地局タイプのために専用に割り当てられる（ｄｅｄｉｃａｔｅｄ）。例えば、フェムト基地局はＳ−ＳＦＨのＳＰ３（３ｒｄ  ｓｕｂ−ｐａｒｔｉｔｏｉｎ）に専用に割り当てられ得る。マクロセル基地局を除いた残りの基地局を非マクロ基地局と呼ぶ。
【００２９】
ＰＨＹレベルにおいて、非マクロ基地局情報は、ＳＡ−プリアンブルシークエンスのＳ−ＳＦＨ（Ｓｅｃｏｎｄａｒｙ−Ｓｕｐｅｒｆｒａｍｅ  Ｈｅａｄｅｒ）とＡＡＩ＿ＳＣＤ（Ａｄｖａｎｃｅｄ  Ａｉｒ  Ｉｎｔｅｒｆａｃｅ＿Ｓｙｓｔｅｍ  Ｃｏｎｆｉｇｕｒａｔｉｏｎ  Ｄｅｓｃｒｉｐｔｏｒ）メッセージで構成される階層的構造で放送され得る。ここで、Ｓ−ＳＦＨは、非マクロ基地局セルタイプであって、一般（ｐｕｂｌｉｃ）基地局またはＣＳＧフェムト基地局のために区画され（ｐａｒｔｉｔｉｏｎ）、ＡＡＩ＿ＳＣＤメッセージは、一般（ｐｕｂｌｉｃ）基地局およびＣＳＧフェムト基地局のためにより細分化して区画される。一般（ｐｕｂｌｉｃ）基地局は、ホットジョン、リレー、ＯＳＧなどに細分化され得、ＣＳＧフェムト基地局は、ＣＳＧ−Ｃｌｏｓｅｄフェムト基地局とＣＳＧ−Ｏｐｅｎフェムト基地局に細分化され得る。
【００３０】
端末機は、ＰＨＹレベルでフェムト基地局を識別することもできるが、ＭＡＣレベルを通じてフェムト基地局を識別（ｉｄｅｎｔｉｆｙ）することもできる。
【００３１】
つまり、ＭＡＣレベルにおいて、非マクロ基地局情報は、フェムトセル情報リスト（例えば、ＣＳＧ  ｗｈｉｔｅ  ｌｉｓｔ）を用いて端末機に提供され得る。フェムトセル情報リストは、セル内の端末機に放送されることもでき、端末機の要請により提供されることもできる。
【００３２】
フェムトセル情報リストにはフェムト基地局が支援するフェムトサービスの種類が表示される。端末機は、フェムト基地局からフェムトセル情報リストが受信される場合、自分が加入したフェムトサービスが前記フェムトセル情報リストに含まれているのかを確認する。もし、自分が加入したフェムトサービスが前記フェムトセル情報リストに含まれている場合、当該フェムト基地局のネットワークに進入するが、そうでない場合には、マクロセル基地局のネットワークに進入することができる。
【００３３】
＜フェムト基地局の構成（ｆｅｍｔｏ  ＡＢＳ）＞
図４は、本発明の一実施例に係るフェムト基地局２００の構成を示す図面である。図４において、フェムト基地局２００は、チャンネルエンコーダー（ｃｈａｎｎｅｌ  ｅｎｃｏｄｅｒ）２１０、マッパー（ｍａｐｐｅｒ）２２０、変調器（ｍｏｄｕｌａｔｏｒ）２３０、受信回路（ｒｅｃｅｉｖｅ  ｃｉｒｃｕｉｔｏｒｙ）２４０、メモリ（ｍｅｍｏｒｙ）２５０および制御器（ｃｏｎｔｒｏｌｌｅｒ）２６０を含む。
【００３４】
チャンネルエンコーダー２１０は、入力された情報ビットのストリーム（ｓｔｒｅａｍ  ｏｆｉｎｆｏｒｍａｔｉｏｎ  ｂｉｔｓ）を予め決められたコーディング方式（ｃｏｄｉｎｇ  ｓｃｈｅｍｅ）でインコーディングして符号化されたデータ（ｃｏｄｅｄ  ｄａｔａ）を生成する。
【００３５】
マッパー２２０は、チャンネルエンコーダー１１０で出力された符号化されたデータを振幅と位相の星状（ｃｏｎｓｔｅｌｌａｔｉｏｎ）に応じた位置で表現されるシンボルでマッピングする。変調方式には制限がなく、ｍ−ＰＳＫ（ｍ−ｑｕａｄｒａｔｕｒｅ  ｐｈａｓｅ  ｓｈｉｆｔ  ｋｅｙｉｎｇ）またはｍ−ＱＡＭ（ｍ−ｑｕａｄｒａｔｕｒｅ  ａｍｐｌｉｔｕｄｅ  ｍｏｄｕｌａｔｉｏｎ）であってもよい。
【００３６】
変調器２３０は、マッピングされた伝送シンボルを予め決められた多重接続変調（ｍｕｌｔｉｐｌｅ  ａｃｃｅｓｓ  ｍｏｄｕｌａｔｉｏｎ）方式により変調する。多重接続変調方式には制限がなく、ＣＤＭＡのようなシングル−キャリア変調方式やＯＦＤＭのようなマルチ−キャリア変調方式を採択することができる。
【００３７】
受信回路２４０は、受信機から転送された信号をアンテナを通じて受け入れ、これをデジタル化して制御器２６０に送る。
【００３８】
メモリ２５０には、フェムト基地局２００の動作に必要な各種のシステム情報とフェムトセル情報リストが貯蔵される。
【００３９】
制御器２６０は、フェムト基地局２００の全般的な動作を制御し、特にフェムトセル情報発送モジュール２６１とサービス提供モジュール２６２を含む。
【００４０】
フェムトセル情報発送モジュール２６１は、セル内の端末機にフェムトセル情報リストを放送したり、受信回路２４０を通じて端末機の情報要請がある場合、当該端末機にフェムトセル情報リストを伝送する。
【００４１】
サービス提供モジュール２６２は、サービスセル内の端末機３００に各端末機３００が加入したフェムトサービスに相応する品質でデータサービスを提供する。フェムト基地局２００が支援するフェムト加入方式が２以上であり、且つサービスセル内の端末機３００がそれぞれ互いに異なるフェムトサービスに加入された場合であれば、多重接続変調により各端末機３００にデータサービスを提供し、ただし、各端末機３００が加入したフェムトサービスに相応するように差等的品質のデータサービスを提供する。
【００４２】
＜端末機の構成（ＡＭＳ）＞
図５は、本発明の一実施例に係る端末機３００の構成を示す図面である。図５において、端末機３００は、チャンネルデコーダー（ｃｈａｎｎｅｌ  ｄｅｃｏｄｅｒ）３１０、デマッパー（ｄｅｍａｐｐｅｒ）３２０、復調器（ｄｅｍｏｄｕｌａｔｏｒ）３３０、メモリ（ｍｅｍｏｒｙ）３４０、送信回路（ｔｒａｎｓｍｉｔ  ｃｉｒｃｕｉｔｏｒｙ）３５０および制御器（ｃｏｎｔｒｏｌｌｅｒ）３６０を含む。
【００４３】
端末機３００の復調器３１０、デマッパー３２０およびチャンネルデコーダー３３０は、前述したフェムト基地局２００の変調器２３０、マッパー２２０およびチャンネルエンコーダー２１０に対する逆機能を遂行する。言い換えれば、アンテナを通じて受信された信号は復調器３１０により復調され、デマッパー３２０により再び符号化されたデータでデマッピングされる。そして、符号化されたデータはチャンネルデコーダー３３０によりデコーディングされる。復調器３１０、デマッパー３２０およびチャンネルデコーダー３３０を通称して受信回路（図示せず）と呼ぶことができる。
【００４４】
メモリ３４０には、端末機３００の動作に必要な各種のシステム情報と自分が加入したフェムトサービスの識別子が貯蔵される。
【００４５】
送信回路３５０は、制御器３６０から提供された各種のデータをアナログ化してアンテナを通じてフェムト基地局２００またはマクロ基地局１００に送信する。
【００４６】
制御器３５０は、端末機３００の全体的な動作を制御し、フェムト基地局２００から２以上のフェムトセル加入方式に関する情報が受信される場合、前記フェムトセル加入方式情報に前記メモリに貯蔵された識別子が含まれるのかを確認する比較モジュール３５１と、前記メモリに貯蔵された識別子に相応するフェムトセル加入方式でフェムト基地局２００に登録を要請する登録モジュール３５２とを含む。登録モジュール３６２は前記フェムトセル加入方式情報に前記メモリに貯蔵された識別子が含まれていない場合、前記フェムト基地局２００の代わりにマクロセル基地局１００に登録を要請することができる。
【００４７】
以上で本発明の実施例について詳細に説明したが、本発明の権利範囲はこれに限定されるのではなく、本発明の属する分野における通常の知識を有する者が特許請求の範囲に基づいて多様に変形または改良した様態も本発明の権利範囲に属する。
【産業上の利用可能性】
【００４８】
本発明の実施例は、複数の端末機に同時に２以上のフェムトサービスを提供するフェムトセルのサービス提供方法およびそのための送受信機に応用され得る。
【００４９】
また、以上で説明した本発明の実施例は、装置および方法でのみ具現されるのではなく、各実施例の方法を実現するプログラムで具現されることもできる。
【符号の説明】
【００５０】
１００…マクロ基地局
２００…フェムト基地局
２１０…チャンネルエンコーダー
２２０…マッパー
２３０…変調器
２４０…受信回路
２５０…メモリ
２６０…制御器
２６１…フェムトセル情報発送モジュール
２６２…サービス提供モジュール
３００…端末機
３１０…復調器 
３２０…デマッパー
３３０…チャンネルデコーダー
３４０…メモリ
３５０… 送信回路
３６０…制御器
３６１…比較モジュール
３６２…登録モジュール
【図１】
2012519409.tif 000003
【図２】
2012519409.tif 000004
【図３】
2012519409.tif 000005
【図４】
2012519409.tif 000006
【図５】
2012519409.tif 000007
【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
フェムト基地局のサービス提供方法であって、
制限された加入者グループに属する第１端末機とネットワーク進入手続を遂行する段階、
前記制限された加入者グループに属しない第２端末機とネットワーク進入手続を遂行する段階、
前記第１端末機にサービスを提供する段階、そして
前記第２端末機に前記第１端末機に提供するサービスより低い品質のサービスを提供する段階
を含むサービス提供方法。
【請求項２】
制限された加入者グループの端末機にのみサービスを提供する第１タイプ、加入の有無に関係なく端末機にサービスを提供する第２タイプ、そして制限された加入者グループの端末機に制限された加入者グループに加入されていない端末機より高い品質のサービスを提供する第３タイプを含む複数のタイプのうち、前記フェムト基地局は前記第３タイプに属する、請求項１に記載のサービス提供方法。
【請求項３】
前記複数のタイプに関する情報は、ＰＨＹ（ｐｈｙｓｉｃａｌ）レベルの識別子を通じて提供され、
前記ＰＨＹレベルの識別子は、ＳＡ（ｓｅｃｏｎｄａｒｙ  ａｄｖａｎｃｅｄ）プリアンブルシークエンス（ｐｒｅａｍｂｌｅ  ｓｅｑｕｅｎｃｅ）に含まれる、請求項２に記載のサービス提供方法。
【請求項４】
前記複数のタイプに関する情報は、ＰＨＹ（ｐｈｙｓｉｃａｌ）レベルの識別子を通じて提供され、
前記ＰＨＹレベルの識別子は、２次スーパーフレームヘッダ（ｓｅｃｏｎｄａｒｙ  ｓｕｐｅｒ  ｆｒａｍｅ  ｈｅａｄｅｒ、Ｓ−ＳＦＨ）とＡＡＩ−ＳＣＤ（ａｄｖａｎｃｅｄ  ａｉｒ  ｉｎｔｅｒｆａｃｅ  ｓｙｓｔｅｍ  ｃｏｎｆｉｇｕｒａｔｉｏｎ  ｄｅｓｃｒｉｐｔｏｒ）メッセージを通じて提供される、請求項２に記載のサービス提供方法。
【請求項５】
各端末機が進入できるフェムト基地局は、ＭＡＣ（ｍｅｄｉｕｍ  ａｃｃｅｓｓ  ｃｏｎｔｒｏｌ）レベルの識別子を通じて識別され、
前記ＭＡＣレベルの識別子は、制限された加入者グループ（ｃｌｏｓｅｄ  ｓｕｂｓｃｒｉｂｅｒ  ｇｒｏｕｐ、ＣＳＧ）ホワイトリスト（ｗｈｉｔｅ  ｌｉｓｔ）に含まれる、請求項１に記載のサービス提供方法。
【請求項６】
前記低い品質のサービスは、前記第１端末機に提供するサービスより低い優先順位を含むＱｏＳパラメーターを有する、請求項１に記載のサービス提供方法。
【請求項７】
端末機がフェムトセルに進入する方法であって、
フェムト基地局とネットワーク進入手続を遂行する段階、そして
前記フェムト基地局の制限された加入者グループに属するか否かに基づいて決められた品質を有するサービスの提供を受ける段階
を含むフェムトセル進入方法。
【請求項８】
前記サービスの提供を受ける段階は、前記端末機が前記制限された加入者グループに属する場合、前記フェムト基地局から前記制限された加入者グループに属しない他の端末機より高い品質のサービスの提供を受ける段階を含む、請求項７に記載のフェムトセル進入方法。
【請求項９】
前記サービスの提供を受ける段階は、前記端末機が前記制限された加入者グループに属しない場合、前記フェムト基地局から前記制限された加入者グループに属する他の端末機より低い品質のサービスの提供を受ける段階を含む、請求項７に記載のフェムトセル進入方法。
【請求項１０】
前記低い品質のサービスは、前記他の端末機に提供するサービスより低い優先順位を含むＱｏＳパラメーターを有する、請求項９に記載のフェムトセル進入方法。
【請求項１１】
複数のフェムト基地局の複数のタイプに関する情報を含むメッセージを受信する段階をさらに含み、
前記複数のタイプは、
制限された加入者グループの端末機にのみサービスを提供する第１タイプ、
加入の有無に関係なく端末機にサービスを提供する第２タイプ、そして
制限された加入者グループの端末機に制限された加入者グループに加入されていない端末機より高い品質のサービスを提供する第３タイプ
を含み、
前記フェムト基地局は、前記第３タイプに属する、請求項７に記載のフェムトセル進入方法。
【請求項１２】
前記複数のタイプに関する情報は、ＰＨＹ（ｐｈｙｓｉｃａｌ）レベルの識別子を通じて提供され、
前記ＰＨＹレベルの識別子は、ＳＡ（ｓｅｃｏｎｄａｒｙ  ａｄｖａｎｃｅｄ）プリアンブルシークエンス（ｐｒｅａｍｂｌｅ  ｓｅｑｕｅｎｃｅ）に含まれる、請求項１１に記載のフェムトセル進入方法。
【請求項１３】
前記複数のタイプに関する情報は、ＰＨＹ（ｐｈｙｓｉｃａｌ）レベルの識別子を通じて提供され、
前記ＰＨＹレベルの識別子は、２次スーパーフレームヘッダ（ｓｅｃｏｎｄａｒｙ  ｓｕｐｅｒｆｒａｍｅ  ｈｅａｄｅｒ、Ｓ−ＳＦＨ）とＡＡＩ−ＳＣＤ（ａｄｖａｎｃｅｄ  ａｉｒ  ｉｎｔｅｒｆａｃｅ  ｓｙｓｔｅｍ  ｃｏｎｆｉｇｕｒａｔｉｏｎ  ｄｅｓｃｒｉｐｔｏｒ）メッセージを通じて提供される、請求項１１に記載のフェムトセル進入方法。
【請求項１４】
前記端末機が進入できるフェムト基地局は、ＭＡＣ（ｍｅｄｉｕｍ  ａｃｃｅｓｓ  ｃｏｎｔｒｏｌ）レベルの識別子を通じて識別され、
前記ＭＡＣレベルの識別子は、制限された加入者グループ（ｃｌｏｓｅｄ  ｓｕｂｓｃｒｉｂｅｒ  ｇｒｏｕｐ、ＣＳＧ）ホワイトリスト（ｗｈｉｔｅ  ｌｉｓｔ）に含まれる、請求項７に記載のフェムトセル進入方法。
【請求項１５】
制限された加入者グループに属する第１端末機とネットワーク進入手続を遂行し、前記制限された加入者グループに属しない第２端末機とネットワーク進入手続を遂行する受信回路、そして
前記第１端末機にサービスを提供し、前記第２端末機に前記第１端末機に提供するサービスより低い品質のサービスを提供する制御器
を含むフェムト基地局。
【請求項１６】
前記低い品質のサービスは、前記第１端末機に提供するサービスより低い優先順位を含むＱｏＳパラメーターを有する、請求項１５に記載のフェムト基地局。
【請求項１７】
フェムト基地局とネットワーク進入手続を遂行する制御器、そして
前記フェムト基地局の制限された加入者グループに属するか否かに基づいて決められた品質を有するサービスの提供を受ける受信回路
を含む端末機。
【請求項１８】
前記端末機が前記制限された加入者グループに属する場合、前記受信回路は前記フェムト基地局から前記制限された加入者グループに属しない他の端末機より高い品質のサービスの提供を受ける、請求項１７に記載の端末機。
【請求項１９】
前記端末機が前記制限された加入者グループに属しない場合、前記受信回路は前記フェムト基地局から前記制限された加入者グループに属する他の端末機より低い品質のサービスの提供を受ける、請求項１７に記載の端末機。
【請求項２０】
前記低い品質のサービスは前記他の端末機に提供するサービスより低い優先順位を含むＱｏＳパラメーターを有する、請求項１９に記載の端末機。
【国際調査報告】
2012519409.tif 000008
2012519409.tif 000009
2012519409.tif 000010
2012519409.tif 000011
2012519409.tif 000012
2012519409.tif 000013